(57)【要約】【課題】ハンガー干しでは乾きにくいタートルネック及びフード付衣類のフードを伸ばして干すことができ、またハンガーを襟口から差込み、濡れた衣類を容易に掛けることが出来るタートルネック及びフード付衣類用洗濯物干しハンガーを提供する。【解決手段】弓状の細身のハンガー本体（１）とその上方に折り代（５）を設け、その上方に蛇腹状に折り畳める長いネック（３）さらに上方に折り畳めるフック（２）を接着し、ネック（３）の両側に切り込み（４）を設けた特徴のタートルネック及びフード付衣類用洗濯物干しハンガーである。本発明は以上の構成により、ハンガーの洗濯物干しの際、タートルネックの長い襟、及びフード付衣類のフードを伸ばして干せる。また衣類の襟を引き伸ばさずにハンガーを襟口から差し入れて容易に衣類をハンガー掛できるタートルネック及びフード付衣類用洗濯物干しハンガーである。【選択図】図１
2014073343.tif 000002
【特許請求の範囲】
【請求項１】
細身で略弓状形状のハンガー本体（１）と、下方に折り畳めるフック（２）と、蛇腹状に畳めるネック部分（３）、ハンガー本体（１）とネック（３）の間に折り代（５）を有し、フック（２）からネック（３）まで折り畳むとハンガー本体（１）と一体化して細い棒状になるタートルネック及びフード衣類用洗濯物干しハンガー。
【請求項２】
複数の長いネック（３）の各両側に衣類の端を挟むことのできる切り込み（４）を設けたことを特徴とする請求項１記載のタートルネック及びフード衣類用洗濯物干洗濯物干しハンガー。
【請求項３】
フック（２）はネックの間に連結部を有し、その両端に山（６）を設けてある請求項１記載のタートルネック及びフード衣類用洗濯物干しハンガー。
【発明の詳細な説明】
【技術分野】
【０００１】この発明は、タートルネックの襟部分及びフード付衣類のフードを延ばして干せ、なおかつハンガーを襟から容易に差し込んで掛けることの出来るタートルネック及びフード付衣類用洗濯物干しハンガーに関するものである。
【背景技術】
【０００２】従来、タートルネックやフード付衣類を干す時、襟及びフードを伸ばしきれず、乾かすのが困難であった。
また、そのような衣類のためのハンガーも販売しているが、大型でかつ衣類の下方から挿入して掛けるのに手間がかかったり、また襟から掛ける事が可能な折り畳み式も出ているが、タートルネックやフードを伸ばし切る長さをフックの下に確保するのは構造上無理であった。また、構造が複雑であり、安価での提供は困難であった。
【先行技術文献】
【特許文献】
【０００３】
【特許文献１】登録実用新案第２０５−４０５１６号公報
【特許文献２】登録実用新案第３０８２７１５号公報
【発明の概要】
【発明が解決しようとする課題】
【０００４】従来の方法は次のような欠点があった。
従来のタートルネック及びフード付き衣類用のハンガーは大型であったり複雑な構造の折畳み式であったりして、安価に提供するのが難しかった。例えば特許文献１は大型であり、襟から挿入して衣類を掛ける事は不可能であるし、特許文献２では長めのタートルネックの襟及びフードを伸ばしきるには連結部材の長さが不十分であった。
本発明は以上のような欠点をなくすためになされたものである。
【課題を解決するための手段】
【０００５】下方に折畳めるフック（２）その下に蛇腹状に折りたたむことが出来るネック（３）、また折り代（５）をネック（３）とハンガー本体（１）との間に設ける。
ネック（３）の各両側に切り込み（４）を設ける。
フード付衣類のフードを掛ける山（５）をフック連結部の両端にそれぞれ設ける。
折り畳むとフック（２）、ネック（３）共にハンガー本体（１）と共に片手で握れる細い棒状になる。
本発明は、以上の構成よりなるタートルネック及びフード付衣類用洗濯物干し用ハンガーである。
【発明の効果】
【０００６】ネック部分（３）がタートルネックやフードを掛けるのに充分な長さにすることが可能になり、衣類を早く乾かせる。
また、棒状に細くなるハンガーを片手で握り、衣類の襟口から差し入れることが出来るので、ハンガーを濡れた衣類下方から掛ける手間を大幅に省くことが出来る。
さらに［図４］のようなハンガーにしても襟口から差し込める便利なハンガーとして使用することも考えられる。
【図面の簡単な説明】
【０００７】
【図１】本発明の正面図である。
【図２】本発明の折り畳み時の図である。
【図３】本発明の使用状態図である。
【図４】記載したハンガーの図である。
【図５】Ａ−Ａ断面図である。
【図６】その他の実施例を示す斜視図である。
【図７】本発明の切り込みの図である。
【図８】別の実施例を示す図である。
【発明を実施するための形態】
【０００８】以下、本発明を実施するための形態について説明する。
フック（２）からネック（３）までを蛇腹状に折りたたむことが出来るようにする。
本体（１）上部中央、かつ厚さ方向中央にネック（３）接着する。この時、ネック（３）は本体（１）に直に接着しても良いが（図示略）、本体（１）とネック（３）の間には折り代（５）を設けることで、ネック折り畳み時、きれいに本体とネックおよびフックが一体になる。また、折り代（５）は少なくとも本体の幅の半分の長さとする。
【０００９】本体（１）の形はフック（２）、ネック（３）を折りたたんだ時、棒状になるように、細身、弓状が好ましい。
【００１０】ネック部分（３）は複数の方形状の板材からなっている。ネック（３）の各板材は図７で示すように角は丸めている。ネック（３）の各板材にはタートルネックの端を留めるための切り込み（４）を設ける。切り込み（４）挿入部の角は丸めている。切り込み（４）アーチ型でネック（３）の板材の側辺略中央に設ける。最上段のネック（３）の上方中央に折り畳み自在のフック（２）を設ける。フック（２）はネック（３）の板材とほぼ同じ時厚みで、折り畳んだ時に本体と一体になるようにする。
【００１１】フックとネックの境界部には連結部を有し、その連結部両端には山（６）を設け、フードを掛けたときの滑り止めとする。
その他の実施例として、図６に示すようにネック（３）である連結した複数の板材の代わりに、折り目を付けられる素材一枚に蛇腹に折り目を付けたものを代用してもほぼ同様の効果が得られる。その場合折り畳み時の角は丸めている。左右各所に切り込みを入れる（図６では角の丸み及び切り込みは省略する）。
また別の実施例として、図８に示すように本体（１）を細い棒状もので山型に作り、直線に延びる底辺（１−Ａ）を撓る素材にして、普段は直線の棒状であり、握ったときだけ弓状になるようにすると、衣類以外にタオル等も掛けることができて便利である。
【００１２】以下、本発明のハンガーの使い方を説明する。
フック（２）、ネック（３）を折りたたみ、本体（１）と一体化して棒状になったハンガーの中心を握って、襟口から片方の先端を挿入する。
挿入した片方の先端を斜め方向に片側の袖口に向かって深く差し込む（反対の先端が衣類の胸元まで完全に入り切るまで）。
ハンガーを持つ手を襟口真下まで戻し、本体（１）の左右先端の位置を衣類の左右の肩位置に整える。
ネック（３）を伸ばしながらフック（２）まで襟口からだしていき、衣類のタートルネックの縁を最寄りの切り込み（４）で押さえる。
【符号の簡単な説明】
【００１３】（１）  本体、（２）  フック、（３）  ネック、（４）  クリップ、（５）  折り代、（６）  山
【図１】
2014073343.tif 000003
【図２】
2014073343.tif 000004
【図３】
2014073343.tif 000005
【図４】
2014073343.tif 000006
【図５】
2014073343.tif 000007
【図６】
2014073343.tif 000008
【図７】
2014073343.tif 000009
【図８】
2014073343.tif 000010